(57)【要約】【課題】  鮮明な画像データと良好な音声データの送受信が可能なデータ通信装置を提供する。【解決手段】  デジタルビデオカメラ３等からの動画情報と音声情報を、フレームデータ取り込み部２１によって、設定単位時間ごとの単位フレーム画像データと単位フレーム音声データとしてそれぞれ取り込み、フレームデータ分離部２２で分離した後、フレーム画像データ間引き部２３が単位フレーム画像データを設定される間引き頻度で間引いてから、単位フレーム画像データと単位フレーム音声データを送る。複数箇所から通信回線２を介して送られてくる複数の単位フレーム音声データとこの音声データのフレーム数より少ない複数の単位フレーム画像データを受信し、単位フレーム画像データをその欠如分だけ複写によって補い、単位フレーム画像データと単位フレーム音声データをそれぞれ時間軸に沿って配列し、出力する。【選択図】        図１
2006128801.tif 000002
【特許請求の範囲】
【請求項１】
映像データと音声データの送受信が可能なデータ通信装置であって、動画情報を予め定められた設定単位時間ごとの単位フレーム画像データとして取り込むと共に音声情報を前記設定単位時間ごとの単位フレーム音声データとして取り込むフレームデータ取り込み部と、該フレームデータ取り込み部により取り込まれた単位フレーム画像データと単位フレーム音声データとを分離するフレームデータ分離部と、該フレームデータ分離部により前記フレーム音声データから分離された複数の単位フレーム画像データのうち１つ以上の単位フレーム画像データを設定される間引き頻度で間引くフレーム画像データ間引き部と、該フレーム画像データ間引き部により間引きした後に残された複数の単位フレーム画像データと前記複数の単位フレーム音声データとを出力して通信回線を介して送るデータ出力部と、通信回線を介して送られてくる複数の単位フレーム音声データと該単位フレーム音声データのフレーム数より少ないフレーム数の複数の単位フレーム画像データとを受信するフレームデータ受信部と、該フレームデータ受信部で受信した単位フレーム画像データと単位フレーム音声データをその受信タイミングごとに組み合わせたときに単位フレーム画像データと組み合わされない単位フレーム音声データの数だけ単位フレーム画像データ欠如期間の直前の単位フレーム画像データを複写するフレーム画像データ複写部と、該フレーム画像データ複写部による単位フレーム画像データの複写後に単位フレーム画像データと単位フレーム音声データとを分離する複写後フレームデータ分離部と、該複写後フレームデータ分離部により分離した単位フレーム音声データを時間軸に沿って配列する音声データ配列部と、該音声データ配列部で配列した音声データを出力する音声出力部と、前記複写後フレームデータ分離部により分離した単位フレーム画像データを時間軸に沿って配列する画像データ配列部と、該画像データ配列部で配列した画像データを動画表示する画像表示部とを有することを特徴とするデータ通信装置。
【請求項２】
画像表示部は１つの画面を設定分割数に分割して形成され、それぞれの分割画面に１つずつ、複数箇所から通信回線を介して送られてくる画像を表示することを特徴とする請求項１記載のデータ通信装置。
【請求項３】
表示されている分割画面の１つを選択する選択操作部と、該選択操作部が選択した分割画面に表示されている画像を画像表示部の画面全体に拡大表示する表示切り替え部とを有し、音声出力部は分割画面が表示されているときには音声を出力せず、前記表示切り替え部によって画像表示部の画面全体に画像が拡大表示されたときにこの画面全体に表示された画像の送信側の音声データのみを出力することを特徴とする請求項２記載のデータ通信装置。
【請求項４】
選択操作部は画像表示部の画面上に形成されたタッチパネル式の操作部と成し、画面に人の手が触れたことを感知するセンサを有して画面に人の手が触れることにより画面が切り替え表示されることを特徴とする請求項３記載のデータ通信装置。
【請求項５】
フレーム画像データ間引き部により間引く単位フレーム画像データの間引き頻度を可変設定する間引き頻度可変設定部を有することを特徴とする請求項１乃至請求項４のいずれか一つに記載のデータ通信装置。
【請求項６】
画像表示部の画面に間引き頻度を表示する間引き頻度表示部が設けられ、該間引き頻度表示部に人の手が触れたことを感知するセンサを有し、人の手が触れたときに前記センサの感知信号に基づき間引き頻度可変設定部が単位フレーム画像データの間引き頻度を前記間引き頻度表示部の表示に対応させて切り替えることを特徴とする請求項５記載のデータ通信装置。
【請求項７】
デジタルビデオカメラに接続され、該デジタルビデオカメラからフレームデータ取り込み部が動画情報と音声情報を共に取り込むことを特徴とする請求項１乃至請求項６のいずれか一つに記載のデータ通信装置。
【請求項８】
トランクケース内に収容可能に形成されて持ち運び可能としたことを特徴とする請求項１乃至請求項７のいずれか一つに記載のデータ通信装置。
【発明の詳細な説明】
【技術分野】
【０００１】
本発明は、デジタルビデオカメラ等の音声と動画像のデータを取り込み、送受信を行うデータ通信装置に関するものである。
【背景技術】
【０００２】
テレビ等、音声と映像を共に通信する場合、音声のデータと映像のデータとを共に送受信することになる。音声のデータ量は、一般的に、８ＫＨｚでサンプリングされ、このサンプリングデータの量子化（デジタル化）は、１秒間に８ｂｉｔで行われるので、１秒間に８Ｋ×８ｂｉｔ＝６４Ｋｂｉｔ（以下、６４Ｋｂと示す）のデータとなる。
【０００３】
一方、映像のデータ量は、一般的に現行のカラーテレビ方式の規格としてあるＮＴＳＣ（National Television System Commitee）方式の１フレーム（１画面）が１２０ＫＢｙｔｅ（１２０ＫＢ）である。１Ｂｙｔｅは８ｂｉｔであり、１秒間に３０フレームの早さで映像が切り替わっているので、１秒間に１２Ｋ×８×３０＝２８８００Ｋｂ≒３０Ｍｂのデータとなる。このデータ量は、音声のデータ量の５００倍に近いデータ量となる。
【０００４】
ここで、もし、一つの端末から通信回線を介して他の一つの端末に映像を送るとすると、１秒間に３０Ｍｂのデータを送れる通信速度を必要とする。それぞれの端末から双方向に映像が送られるような場合は、１秒間に６０Ｍｂのデータが通信回線を通っていることになる。
【０００５】
したがって、４つの装置をＬＡＮ（Lorcal Area Network）に接続し、４つの装置とも、映像を送受信すると、その通信回線には、１秒間に１２０Ｍｂのデータが流れていることになる。
【０００６】
通常、通信インタフェースの機器類を含めた通信回路上に流せるデータ量には技術的制約があり、現行のＬＡＮでは、最大１００Ｍｂ／ｓである。つまり、１秒間に１００Ｍｂのデータしか流せない。このような技術的制約のもとに形成される通信回路を、許容帯域が１００Ｍｂｓの通信回路と称す。
【０００７】
また、上記のように、ＬＡＮの能力は１００Ｍｂｓであるが、この値は、理想的に占有して使用した場合であり、現行一般的なＬＡＮ、インターネットの端末の通信回線の実力帯域は１０Ｍｂｓ程度である。
【０００８】
このような能力の通信回線に、毎秒１２０Ｍｂのデータを流そうとすると、たちまちデータに滞りが生じ、データの流れが急に低下して流れが止まったような状態となる。このとき、音声データもその影響を受けて、流れが停止されたようになり、受信した側では全く音声として復元されなくなってしまう。
【０００９】
このため、従来は、一般に、映像の１フレーム分のデータ量を大幅に少なくする方法を採用し、データの滞りを抑制している。つまり、１フレームの縦横の画素数を減らす方法を適用したり、１フレームの映像データを圧縮する方法を適用したりしている。
【００１０】
なお、１フレームの映像データを圧縮する方法には、例えばＭＰＥＧ（Moving Picture Experts Group；ＩＳＯ配下の国際標準化データ圧縮のための符号化）−２方式等がある。
【００１１】
なお、上記映像データの圧縮方法について、本出願人は、現地点において、先行技術文献を認知していない。
【発明の開示】
【発明が解決しようとする課題】
【００１２】
しかしながら、１フレームの縦横の画素数を減らす方法を適用したり、１フレームの映像データを圧縮する方法を適用したりすると、映像の鮮明さ、色彩等の画質を劣化させてしまう欠点があり、鮮明な映像データの送受信が可能なデータ通信装置の開発が望まれている。
【００１３】
本発明は、上記従来の課題を解決するために成されたものであり、その目的は、画像と音声のデータを滞りなく送受信可能で、鮮明な映像と良好な音声を再現できるデータ通信装置を提供することにある。
【課題を解決するための手段】
【００１４】
上記目的を達成するために、本発明は次のような構成をもって課題を解決するための手段としている。すなわち、第１の発明は、映像データと音声データの送受信が可能なデータ通信装置であって、動画情報を予め定められた設定単位時間ごとの単位フレーム画像データとして取り込むと共に音声情報を前記設定単位時間ごとの単位フレーム音声データとして取り込むフレームデータ取り込み部と、該フレームデータ取り込み部により取り込まれた単位フレーム画像データと単位フレーム音声データとを分離するフレームデータ分離部と、該フレームデータ分離部により前記フレーム音声データから分離された複数の単位フレーム画像データのうち１つ以上の単位フレーム画像データを設定される間引き頻度で間引くフレーム画像データ間引き部と、該フレーム画像データ間引き部により間引きした後に残された複数の単位フレーム画像データと前記複数の単位フレーム音声データとを出力して通信回線を介して送るデータ出力部と、通信回線を介して送られてくる複数の単位フレーム音声データと該単位フレーム音声データのフレーム数より少ないフレーム数の複数の単位フレーム画像データとを受信するフレームデータ受信部と、該フレームデータ受信部で受信した単位フレーム画像データと単位フレーム音声データをその受信タイミングごとに組み合わせたときに単位フレーム画像データと組み合わされない単位フレーム音声データの数だけ単位フレーム画像データ欠如期間の直前の単位フレーム画像データを複写するフレーム画像データ複写部と、該フレーム画像データ複写部による単位フレーム画像データの複写後に単位フレーム画像データと単位フレーム音声データとを分離する複写後フレームデータ分離部と、該複写後フレームデータ分離部により分離した単位フレーム音声データを時間軸に沿って配列する音声データ配列部と、該音声データ配列部で配列した音声データを出力する音声出力部と、前記複写後フレームデータ分離部により分離した単位フレーム画像データを時間軸に沿って配列する画像データ配列部と、該画像データ配列部で配列した画像データを動画表示する画像表示部とを有する構成をもって課題を解決する手段としている。
【００１５】
また、第２の発明は、上記第１の発明の構成に加え、前記画像表示部は１つの画面を設定分割数に分割して形成され、それぞれの分割画面に１つずつ、複数箇所から通信回線を介して送られてくる画像を表示する構成をもって課題を解決する手段としている。
【００１６】
さらに、第３の発明は、上記第２の発明の構成に加え、表示されている分割画面の１つを選択する選択操作部と、該選択操作部が選択した分割画面に表示されている画像を画像表示部の画面全体に拡大表示する表示切り替え部とを有し、音声出力部は分割画面が表示されているときには音声を出力せず、前記表示切り替え部によって画像表示部の画面全体に画像が拡大表示されたときにこの画面全体に表示された画像の送信側の音声データのみを出力する構成をもって課題を解決する手段としている。
【００１７】
さらに、第４の発明は、上記第３の発明の構成に加え、前記選択操作部は画像表示部の画面上に形成されたタッチパネル式の操作部と成し、画面に人の手が触れたことを感知するセンサを有して画面に人の手が触れることにより画面が切り替え表示される構成をもって課題を解決する手段としている。
【００１８】
さらに、第５の発明は、上記第１乃至第４のいずれか一つの発明の構成に加え、前記フレーム画像データ間引き部により間引く単位フレーム画像データの間引き頻度を可変設定する間引き頻度可変設定部を有する構成をもって課題を解決する手段としている。
【００１９】
さらに、第６の発明は、上記第５の発明の構成に加え、前記画像表示部の画面に間引き頻度を表示する間引き頻度表示部が設けられ、該間引き頻度表示部に人の手が触れたことを感知するセンサを有し、人の手が触れたときに前記センサの感知信号に基づき間引き頻度可変設定部が単位フレーム画像データの間引き頻度を前記間引き頻度表示部の表示に対応させて切り替える構成をもって課題を解決する手段としている。
【００２０】
さらに、第７の発明は、上記第１乃至第６のいずれか一つの発明の構成に加え、デジタルビデオカメラに接続され、該デジタルビデオカメラからフレームデータ取り込み部が動画情報と音声情報を共に取り込む構成をもって課題を解決する手段としている。
【００２１】
さらに、第８の発明は、上記第１乃至第７のいずれか一つの発明の構成に加え、トランクケース内に収容可能に形成されて持ち運び可能とした構成をもって課題を解決する手段としている。
【発明の効果】
【００２２】
本発明によれば、動画情報を予め定められた設定単位時間ごとの単位フレーム画像データとして取り込むと共に音声情報を前記設定単位時間ごとの単位フレーム音声データとして取り込み、単位フレーム画像データと単位フレーム音声データとを分離した後、複数の単位フレーム画像データのうち１つ以上の単位フレーム画像データを設定される間引き頻度で間引いて、間引き後の単位フレーム画像データと前記複数の単位フレーム音声データとを通信回線を介して送るので、データ量が多い画像のデータ量を少なくして送ることができ、通信回線上でのデータの滞りを抑制できる。
【００２３】
そして、本発明によれば、通信回線を介して送られてくる複数の単位フレーム音声データと該単位フレーム音声データのフレーム数より少ないフレーム数の複数の単位フレーム画像データとを受信し、単位フレーム画像データと単位フレーム音声データをその受信タイミングごとに組み合わせたときに単位フレーム画像データと組み合わされない単位フレーム音声データの数だけ単位フレーム画像データ欠如期間の直前の単位フレーム画像データを複写して単位フレーム画像データを時間軸に沿って配列し、動画表示するので、単位フレーム画像データの縦横の画素数を減らしたり圧縮したりする場合と異なり、鮮明な動画映像を表示することができる。
【００２４】
また、本発明によれば、データ送信に際し、単位フレーム音声データは間引くことなく送信するものであり、送信される画像データの数が少ない分だけ通信回線上でのデータの滞りを抑制できるので、受信側で音声データがとぎれたりすることを抑制できる。そして、受信側では鮮明な動画映像と共に、良好な音声を動画映像と同期して再現することができる。
【００２５】
また、本発明において、画像表示部は１つの画面を設定分割数に分割して形成され、それぞれの分割画面に１つずつ複数箇所から通信回線を介して送られてくる画像を表示する構成によれば、画面には複数の画像（複数箇所から送信される画像）を表示できるので、１つのデータ通信装置によって、複数箇所の画像を一度に確認することができる。
【００２６】
また、本発明において、表示されている分割画面の１つを選択する選択操作部を有し、音声出力部は分割画面が表示されているときには音声を出力せず、選択操作部により選択された１つの分割画面に表示されている画像が画面全体に拡大表示されたときにこの画面全体に表示された画像の送信側の音声データのみを出力する構成によれば、画面表示の選択ができ、かつ、音声出力の混乱を抑制でき、さらに、拡大表示された画像の送信側との音声双方向通信による会話ができるので、使用方法のバリエーションを多くでき、使い勝手の良いデータ通信装置を実現できる。
【００２７】
さらに、本発明において、選択操作部は画像表示部の画面上に形成されたタッチパネル式の操作部と成し、画面に人の手が触れたことを感知するセンサを有して画面に人の手が触れることにより画面が切り替え表示される構成によれば、タッチパネル式の操作によって画面切り替えを行えるので、画面切り替え操作をより簡単に行うことができる。
【００２８】
さらに、本発明において、フレーム画像データ間引き部により間引く単位フレーム画像データの間引き頻度を可変設定する間引き頻度可変設定部を有する構成によれば、状況に応じて単位フレーム画像データの間引き頻度を可変設定することができ、より一層良好なデータ通信が可能なデータ通信装置を実現できる。
【００２９】
さらに、本発明において、画像表示部の画面に間引き頻度を表示する間引き頻度表示部が設けられ、該間引き頻度表示部に人の手が触れたことを感知するセンサを有し、人の手が触れたときに前記センサの感知信号に基づき間引き頻度可変設定部が単位フレーム画像データの間引き頻度を前記間引き頻度表示部の表示に対応させて切り替える構成によれば、単位フレーム画像データの間引き頻度を可変設定する操作を非常に容易に行うことができる。
【００３０】
さらに、本発明において、デジタルビデオカメラに接続され、該デジタルビデオカメラからフレームデータ取り込み部が動画情報と音声情報を共に取り込む構成によれば、装置構成が簡単で、かつ、鮮明な動画情報と良好な音声情報を得ることができるデータ通信装置を実現できる。
【００３１】
さらに、本発明において、トランクケース内に収容可能に形成されて持ち運び可能とした構成によれば、必要に応じてトランクケース内に収容して持ち運び運びができるので、利便性を向上でき、適宜の場所にてデータ通信を行うことができる。
【発明を実施するための最良の形態】
【００３２】
以下、本発明の実施の形態を、図面を参照して説明する。
【００３３】
図１には、本発明に係るデータ通信装置の一実施形態例のブロック構成が示されており、図２には、この実施形態例のデータ通信装置を用いたデータ通信システム例が示されている。
【００３４】
図２に示すように、本実施形態例のデータ通信装置１は、１つ以上（ここでは複数）の他のデータ通信装置１１，１２，１３と接続されて、映像データと音声データの送受信が可能なデータ通信装置である。データ通信装置１，１２，１３，１４は、互いに例えば１００ｍの長さのＬＡＮケーブルにより形成された通信回線２とスイッチングハブ５０とを介して接続されている。
【００３５】
なお、図２においては、説明を分かりやすくするために、それぞれのデータ通信装置に互いに異なる符号を付しているが、他のデータ通信装置１１，１２，１３も本実施形態例のデータ通信装置１と同様に構成されており、以下に示す本実施形態例のデータ通信装置１の説明は、図２に示す全てのデータ通信装置１，１１，１２，１３についてあてはまるものである。
【００３６】
本実施形態例のデータ通信装置１は、図２に示すように、音声映像取り込みケーブル９を介してデジタルビデオカメラ３に接続されており、簡単な装置構成で鮮明な動画情報と良好な音声情報を得ることができる。また、本実施形態例のデータ通信装置１は、ヘッドホン４にも接続されている。
【００３７】
また、図６に示すように、本実施形態例では、データ通信装置１とデジタルビデオカメラ３とヘッドホン４を共にトランクケース７内に収容可能に形成されて持ち運び可能と成している。この構成により、本実施形態例は、必要に応じてトランクケース７内に収容して持ち運び運びができるので、利便性を向上でき、適宜の場所にてデータ通信を行うことができる。
【００３８】
図１に示すように、データ通信装置１は制御装置４０を有し、制御装置４０は、フレームデータ取り込み部２１、フレームデータ分離部２２、フレーム画像データ間引き部２３、データ出力部２４、フレームデータ受信部２５、フレーム画像データ複写部２６、複写後フレームデータ分離部２７、音声データ配列部２８、音声出力部３３、画像データ配列部２９、表示切り替え部３１、間引き頻度可変設定部３２を有しており、画像表示部３４に接続されている。画像表示部３４には、選択操作部３０、間引き頻度表示部３５が設けられている。
【００３９】
フレームデータ取り込み部２１は、デジタルビデオカメラ３によって撮像される動画情報を予め定められた設定単位時間（例えば８分の１秒）ごとの単位フレーム画像データとして取り込むと共に、デジタルビデオカメラ３によって受信される音声情報を前記設定単位時間ごとの単位フレーム音声データとして取り込むものであり、例えばＩＥＥＥ１３９４規格（ｉＬｉｎｋまたはＤＶインタフェース）のインタフェースにより形成される。フレームデータ取り込み部２１は、取り込んだ単位フレーム画像データと単位フレーム音声データをフレームデータ分離部２２に加える。
【００４０】
なお、図３（ａ）には、デジタルビデオカメラ３が撮影している動く被写体の動画情報を、フレームデータ取り込み部２１が取り込んだときの単位フレーム画像データのイメージ図が模式的に示されている。また、図３（ｂ）には、フレームデータ取り込み部２１に取り込まれた単位フレーム音声データと単位フレーム画像データとのデータ列の例が模式的に示されている。図３において、符号６は単位フレーム音声データ、８は単位フレーム画像データをそれぞれ示しており、ｉは２以上の整数を示している。
【００４１】
フレームデータ分離部２２は、フレームデータ取り込み部２１により取り込まれた単位フレーム画像データと単位フレーム音声データとを分離し、フレーム画像データ間引き部２３に加える。なお、図３（ｃ）には、分離された単位フレーム音声データと単位フレーム画像データとのデータ列の例が模式的に示されている。
【００４２】
フレーム画像データ間引き部２３は、フレームデータ分離部２２により前記フレーム音声データから分離された複数の単位フレーム画像データのうち１つ以上の単位フレーム画像データを、設定される間引き頻度で間引き、間引きした後に残された複数の単位フレーム画像データと前記複数の単位フレーム音声データをデータ出力部２４に加える。
【００４３】
なお、図３（ｄ）には、間引きされた後に残された単位フレーム画像データのデータ列の例が、単位フレーム音声データと共に模式的に示されている。この例は、単位フレーム画像データを２つのうち１つの間引き頻度で間引いた例である。
【００４４】
データ出力部２４は、フレーム画像データ間引き部２３により間引きした後に残された複数の単位フレーム画像データと前記複数の単位フレーム音声データとを出力し、これらのデータを通信回線２を介して他のデータ通信装置１１，１２，１３に送るとともに、本実施形態例では、前記データをフレーム画像データ複写部２６に加える。
【００４５】
なお、データ出力部２４から出力される複数の単位フレーム画像データと複数の単位フレーム音声データは、例えば図３（ｄ）に示したような、単位フレーム画像データと単位フレーム音声データとの組で出力され、単位フレーム画像データが欠如している期間は、単位フレーム音声データのみが出力される。また、データの先頭部には、データ出力部２４により識別データ（図示せず）を付けて出力し、受信側で受信したデータが、どのデータ通信装置からの送信データかを識別できるようにする。
【００４６】
データ出力部２４から通信回路２に送られたデータは、通信回線２と前記スイッチングハブ５０を介して他のデータ通信装置１１，１２，１３に分配される。
【００４７】
フレームデータ受信部２５は、通信回線２を介して送られてくる複数の単位フレーム音声データと該単位フレーム音声データのフレーム数より少ないフレーム数の複数の単位フレーム画像データとを受信するものであり、フレームデータ受信部２５は、複数箇所、すなわち、複数の接続相手側のデータ通信装置１１，１２，１３から送られてくる上記単位フレーム画像データと単位フレーム音声データを受信し、フレーム画像データ複写部２６に加える。
【００４８】
フレーム画像データ複写部２６は、フレームデータ受信部２５で受信した単位フレーム画像データと単位フレーム音声データをその受信タイミングごとに組み合わせたときに単位フレーム画像データと組み合わされない単位フレーム音声データの数だけ単位フレーム画像データ欠如期間の直前の単位フレーム画像データを複写するものであり、複写後に単位フレーム画像データと単位フレーム音声データを複写後フレームデータ分離部２７に加える。
【００４９】
なお、本実施形態例では、フレーム画像データ複写部２６は、データ出力部２４から加えられる単位フレーム画像データと単位フレーム音声データについても同様の動作を行うように構成されており、本実施形態例において、フレーム画像データ複写部２６は、接続相手側のデータ通信装置１１，１２，１３およびデータ通信装置１自体に対応させて、４つの同様の構成を有するフレーム画像データ複写部２６ａ，２６ｂ，２６ｃ，２６ｄを有している。
【００５０】
そして、データ出力部２４から送信されるデータの先頭部に設けられた識別データに応じて、例えばフレームデータ受信部２５が受信したデータがデータ通信装置１１からのデータであればフレーム画像データ複写部２６ａに、データ通信装置１２からのデータであればフレーム画像データ複写部２６ｂに、データ通信装置１３からのデータであればフレーム画像データ複写部２６ｃに、単位フレーム画像データと単位フレーム音声データ加えられる。また、前記データ出力部２４からフレーム画像データ複写部２６に加えられたデータは、フレーム画像データ複写部２６ｄに加えられる。
【００５１】
それぞれのフレーム画像データ複写部２６ａ，２６ｂ，２６ｃ，２６ｄは、それぞれのフレーム画像データ複写部２６ａ，２６ｂ，２６ｃ，２６ｄに加えられるデータに関して、上記フレーム画像データ複写部２６の動作を行う。
【００５２】
なお、図４（ａ）には、フレームデータ受信部２５で受信した単位フレーム画像データと単位フレーム音声データをその受信タイミングごとに組み合わせたデータ列の例が、図４（ｂ）には、このデータ列のうち、単位フレーム画像データと組み合わされない単位フレーム音声データの数だけ単位フレーム画像データ欠如期間の直前の単位フレーム画像データを複写したときのデータ列の例が、それぞれ模式的に示されている。
【００５３】
これら図４において、符号６は単位フレーム音声データ、８は単位フレーム画像データをそれぞれ示しており、ｉは２以上の整数を示している。図４（ｂ）に示すように、ｉ番フレームのフレーム画像データ８は、ｉ−１番フレームのフレーム画像データ８の複写データであり、ｉ＋２番フレームのフレーム画像データ８は、ｉ＋１番フレームのフレーム画像データ８の複写データである。
【００５４】
図１に示した前記複写後フレームデータ分離部２７は、フレーム画像データ複写部２６（２６ａ，２６ｂ，２６ｃ，２６ｄ）による単位フレーム画像データの複写後に単位フレーム画像データと単位フレーム音声データを分離する。そして、単位フレーム音声データを音声データ配列部２８に、単位フレーム画像データを画像データ配列部２９にそれぞれ加える。
【００５５】
本実施形態例では、複写後フレームデータ分離部２７も、接続相手側のデータ通信装置１１，１２，１３およびデータ通信装置１自体に対応させて、４つの同様の構成を有する複写後フレームデータ分離部２７ａ，２７ｂ，２７ｃ，２７ｄを有しており、画像データ複写部２６ａからのデータは複写後フレームデータ分離部２７ａに、フレーム画像データ複写部２６ｂ，２６ｃ，２６ｄからのデータは、それぞれ複写後フレームデータ分離部２７ｂ，２７ｃ，２７ｄに加えられ、それぞれ分離される。
【００５６】
画像データ配列部２９は、前記複写後フレームデータ分離部２７（２７ａ，２７ｂ，２７ｃ，２７ｄ）により分離した単位フレーム画像データを、それぞれ個別に時間軸に沿って配列し、配列した画像データを、それぞれ映像出力するためのフォーマットに変換して画像表示部３４に加える。
【００５７】
画像表示部３４は、画像データ配列部２９で配列した画像データを動画表示する。画像表示部３４は、例えば液晶ディスプレイにより形成することができる。
【００５８】
図５（ａ）には、画像表示部３４による表示例が模式的に示されており、画像表示部３４は１つの画面を設定分割数（ここでは４つ）に分割して形成され、それぞれの分割画面に１つずつ複数箇所（つまり、ここでは、３つの接続相手側のデータ通信装置１１，１２，１３側）から通信回線２を介して送られてくる画像とデータ通信装置１自体の画像を表示する。
【００５９】
図５（ａ）に示す例は、３つの接続相手側のデータ通信装置１１，１２，１３の画像をそれぞれ分割画面５ａ，５ｂ，５ｃにそれぞれ表示し、データ通信装置１の画像を分割画面５ｄに表示している。
【００６０】
前記選択操作部３０は、表示されている分割画面５ａ〜５ｄの１つを選択する。本実施形態例においては、選択操作部３０は画像表示部の画面上に形成されたタッチパネル式の操作部と成し、画面に人の手が触れたことを感知するセンサ（図示せず）を有して画面に人の手が触れることにより選択操作部３０の操作が表示切り替え部３１に加えられる。
【００６１】
前記表示切り替え部３１は、選択操作部３０が選択した分割画面（例えば５ａ）に表示されている画像を画像表示部３４の画面全体に拡大表示する。図５（ｂ）には、図５（ａ）の分割画面５ａが画面全体に拡大表示された状態を示している。なお、この状態で、画面の、間引き頻度表示部３５（図５（ｃ）参照）を除く任意の箇所に人の手が触れると、画像表示部３４の表示は、再び図５（ａ）に示すような分割画面表示に戻る。
【００６２】
前記音声データ配列部２８は、複写後フレームデータ分離部により分離した単位フレーム音声データを時間軸に沿って配列し、配列した音声データを音声出力部３３に加える。
【００６３】
前記音声データ出力部３３は、音声データ配列部２８で配列した音声データを出力する。この出力データは、ヘッドホン４に加えられ、ヘッドホン４を介して使用者に伝えられる。
【００６４】
なお、本実施形態例においては、音声出力部３３は分割画面５ａ〜５ｄが表示されているときには音声を出力せず、前記表示切り替え部３０によって画像表示部３４の画面全体に画像が拡大表示されたときに、この画面全体に表示された画像の送信側の音声データのみを出力する。例えば、図５（ｂ）に示すように、前記分割画面５ａの拡大表示が行われているときは、接続相手側のデータ通信装置１１の音声を出力する。
【００６５】
前記間引き頻度可変設定部３２は、前記フレーム画像データ間引き部２３により間引く単位フレーム画像データの間引き頻度を可変設定する。なお、本実施形態例では、間引き頻度表示部３５が設けられており、画像表示部３４の画面（例えば右上端等の適宜の設定領域）に間引き頻度を表示する。
【００６６】
この表示は、例えば、図５（ｃ）に示すような数値表示により行ってもよいし、図５（ｄ）に示すような、間引き頻度の増減を表す表示により行ってもよい。図５（ｃ）において、１／２は、２つに１つのデータを間引く例、１／３は３つに一つのデータを間引く例である。なお、この表示方法は特に限定されるものでなく、適宜設定されるものであり、また、間引き頻度も特に限定されるものでなく、適宜設定されるものである。
【００６７】
また、本実施形態例では、間引き頻度表示部３５に人の手が触れたことを感知するセンサを有しており、人の手が触れたときに前記センサの感知信号に基づき間引き頻度可変設定部３２が単位フレーム画像データの間引き頻度を前記間引き頻度表示部３５の表示に対応させて切り替える。前記フレーム画像データ間引き部２３は、この切り替えに応じて前記設定間引き頻度を可変し、フレーム画像データの間引きを行う。
【００６８】
本実施形態例は以上のように構成されており、デジタルビデオカメラ３からの動画情報と音声情報を、フレームデータ取り込み部２１によって、設定単位時間ごとの単位フレーム画像データと単位フレーム音声データとしてそれぞれ取り込み、フレームデータ分離部２２が単位フレーム画像データと単位フレーム音声データとを分離した後、フレーム画像データ間引き部２３が単位フレーム画像データを設定される間引き頻度で間引いてから、データ出力部２４が単位フレーム画像データと単位フレーム音声データを通信回線２を介して送る。
【００６９】
この送信データは、例えば図３（ｄ）に示したようなデータであり、図３（ｂ）に示す取り込みデータに比べて単位フレーム画像データの量が少ない。そして、データ通信装置１と同様に構成されている接続相手側のデータ通信装置１１，１２，１３から送信されるデータも、データ通信装置１から送信されるデータと同様に、取り込みデータに比べて単位フレーム画像データの量が少ないので、通信回線２上でのデータの滞りが抑制され、単位フレーム画像データと単位フレーム音声データがスムーズに通信回線２を通って双方向通信される。
【００７０】
また、本実施形態例では、通信回線２を介して送られてくる接続相手側のデータ通信装置１１，１２，１３からの複数の単位フレーム音声データと複数の単位フレーム画像データを受信するが、受信したデータは識別されて、対応するフレーム画像データ複写部２６（２６ａ，２６ｂ，２６ｃ）に加えられ、ここで、前記単位フレーム画像データの間引きに伴って欠如している分だけ、単位フレーム画像データを複写によって補う。また、データ通信装置１自体の出力データもフレーム画像データ複写部２６ｄに加えられて、欠如期間の複写が同様に行われる。
【００７１】
つまり、フレーム画像データ複写部２６（２６ａ，２６ｂ，２６ｃ，２６ｄ）は、単位フレーム画像データと組み合わされない単位フレーム音声データの数だけ単位フレーム画像データ欠如期間の直前の単位フレーム画像データを複写する。
【００７２】
そして、この複写後に、複写後フレームデータ分離部２７によって、単位フレーム音声データと単位フレーム画像データとが分離され、分離された単位フレーム画像データは、画像データ配列部２９によって時間軸に沿って配列され、画像表示部３４によって動画表示される。また、分離された単位フレーム音声データは、音声データ配列部２８によって時間軸に沿って配列され、音声出力部３３から出力される。
【００７３】
したがって、本実施形態例によれば、単位フレーム画像データの縦横の画素数を減らしたり圧縮したりする場合と異なり、画像表示部３４に鮮明な動画映像を表示することができるし、音声データがとぎれたりすることを抑制でき、鮮明な動画映像を表示することができると共に、良好な音声を動画映像と同期して出力することができる。
【００７４】
なお、本実施形態例において、デジタルビデオカメラ３から取り込まれる単位フレーム画像データは、その一部が設定頻度で間引きされ、この間引き部分（つまり、単位フレーム画像データの欠如期間）の単位フレーム画像データの直前の単位フレーム画像データが受信側で複写されて、画像表示部３４に表示されるが、単位フレーム画像データを取り込む間隔（設定単位時間）は、例えば８分の１秒といった短い期間なので、上記動作によって動画映像の動く速度が使用者に違和感を感じさせるといったことはなく、良好な動画表示を行うことができる。
【００７５】
また、本実施形態例において、画像表示部３４は、通常、１つの画面を設定分割数に分割して形成され、それぞれの分割画面に１つずつ接続相手側のデータ通信装置１１，１２，１３から通信回線２を介して送られてくる画像とデータ通信装置１自体の画像を表示する。したがって、使用者が、１つのデータ通信装置１によって、複数箇所の画像を一度に確認することができる。
【００７６】
さらに、本実施形態例において、音声出力部３３は分割画面５ａ〜５ｄが表示されているときには音声を出力しない。したがって、使用者が出力される音声によって混乱することはない。また、本実施形態例において、音声出力部３３は、選択操作部３０により選択された１つの分割画面に表示されている画像が画面全体に拡大表示されたときに、この画面全体に表示された画像の送信側の音声データのみを出力する。したがって、使用者は、拡大表示された画像の送信側との音声双方向通信による会話ができる。
【００７７】
さらに、本実施形態例において、選択操作部３０は画像表示部の画面上に形成されたタッチパネル式の操作部と成し、画面に人の手が触れることにより画面が切り替え表示される。したがって、使用者は、画面切り替え操作をより簡単に行うことができる。
【００７８】
さらに、本実施形態例において、画像表示部３４の画面には間引き頻度表示部３５が設けられており、間引き頻度が表示され、また、間引き頻度表示部３５に人の手が触れたときに前記センサの感知信号に基づき間引き頻度可変設定部３２が単位フレーム画像データの間引き頻度を間引き頻度表示部３５の表示に対応させて切り替える。したがって、単位フレーム画像データの間引き頻度を非常に容易に、かつ、的確に可変でき、的確な間引き数で単位フレーム画像データを送信してデータ通信を行うことができる。
【００７９】
なお、本発明は上記実施形態例に限定されることはなく、様々な態様を採り得る。例えば、上記実施形態例では、選択操作部３０をタッチパネル式の操作部としたが、選択操作部３０は必ずしもタッチパネル式の操作部とするとは限らず、データ通信装置１にリモコン等を設けて、このリモコンに選択操作部３０を設けてもよい。
【００８０】
また、上記実施形態例では、画像表示部３４の端部に形成された間引き頻度表示部３５に人の手が触れたことを感知するセンサを設け、人の手が触れたときに前記センサの感知信号に基づき間引き頻度可変設定部３２が単位フレーム画像データの間引き頻度を切り替える構成としたが、データ通信装置１にリモコン等を設けて、このリモコンに間引き頻度を可変する操作部を設けてもよい。
【００８１】
ただし、上記実施形態例のように、選択操作部３０をタッチパネル式の操作部としたり、間引き頻度表示部３５に人の手が触れることにより単位フレーム画像データの間引き頻度の切り替えができるようにすると、より使い勝手の良いデータ通信装置を実現できる。
【００８２】
また、上記実施形態例では、音声出力部３３は分割画面５ａ〜５ｄが表示されているときには音声を出力せず、選択操作部３０により選択された１つの分割画面に表示されている画像が画面全体に拡大表示されたときに、この画面全体に表示された画像の送信側の音声データのみを出力する構成としたが、音声出力部３３による音声データの出力構成は特に限定されるものでなく、適宜設定されるものである。
【００８３】
例えば、分割画面５ａ〜５ｄに表示されている画像の送信側の一つの音声出力を選択する操作部を設けて、この操作部により決定したいずれかの分割画面に表示されている画像の送信側の音声データを音声出力部３３により出力するようにしてもよい。
【００８４】
さらに、上記実施形態例では、画像表示部３４は、設定分割数の分割画面５ａ〜５ｄの表示と、その中の一つの画像を画面全体に拡大表示する表示との２つのうちの一つを選択的に表示するようにしたが、画面の切り替え操作部を設けて、設定分割数を可変できるようにしたり、設定分割数を８として、拡大表示を２つの分割画面により行う等してもよく、画像表示部３４による表示方法は様々に設定できる。
【００８５】
さらに、上記実施形態例では、データ通信装置１自体の画像をデータ通信装置１の画像表示部３４に表示するために、データ出力部２４から出力したデータをフレーム画像データ複写部２６により複写し、画像データの時間軸に沿った配列表示を行うようにしたが、例えば図１の破線に示すように、フレームデータ分離部２２により分離したフレーム画像データを画像データ配列部２９に加えて、画像データの時間軸に沿った配列表示を行い、データ通信装置１自体の画像をデータ通信装置１の画像表示部３４に表示してもよい。
【００８６】
また、この場合、フレームデータ分離部２２により分離したフレーム音声データも、例えば図１の破線に示すように、音声データ配列部２８に加えて時間軸に沿って配列し、出力するようにしてもよい。
【００８７】
さらに、データ通信装置１自体の画像表示や音声出力をデータ通信装置１により行う構成は省略してもよい。ただし、上記実施形態例のように、データ通信装置１自体の画像表示や音声出力をデータ通信装置１により行えるようにすると、データ通信装置１から接続相手側のデータ通信装置１１，１２，１３に送信している画像や音声を、使用者がデータ通信装置１により確認することができるので好ましい。
【００８８】
さらに、上記実施形態例では、デジタルビデオカメラ３に接続し、フレームデータ取り込み部２１が動画情報と音声情報を共に取り込むようにしたが、動画情報の撮像と、音声情報の受信を別々の装置により行い、これらの情報をフレーデータ取り込み部２１により行うようにしてもよい。
【００８９】
さらに、上記実施形態例は、図２に示すようなデータ通信システムに適用したが、本発明のデータ通信装置を用いて、例えば図７に示すような光通信のデータ通信システムに適用してもよい。図７において、通信回線２は光ファイバにより形成され、データ通信装置１は、スイッチングハブ５０とメディアコンバータ４９を介して接続されている。
【００９０】
このように通信回線２に光ファイバを適用すると、データ通信装置１，１１，１２，１３間の距離を約１０ｋｍ離しても通信が可能となり、現状で最大約４０ｋｍの距離感の通信が可能であるので、遠距離通信に適したシステムを実現できる。
【図面の簡単な説明】
【００９１】
【図１】本発明に係るデータ通信装置の一実施形態例の制御構成を示すブロック図である。
【図２】上記実施形態例のデータ通信装置を適用した通信システム例を模式的に示す説明図である。
【図３】上記実施形態例のデータ通信装置によるデータ取り込み、分離、間引き状況を模式的に示す説明図である。
【図４】上記実施形態例のデータ通信装置による受信データ、データ複写状態を模式的に示す説明図である。
【図５】上記実施形態例のデータ通信装置における画像表示部、間引き頻度表示部の表示例を示す説明図である。
【図６】上記実施形態例のデータ通信装置のケース内収容状態を示す説明図である。
【図７】本発明に係るデータ通信装置を適用した別の通信システム例を模式的に示す説明図である。
【符号の説明】
【００９２】
１，１１，１２，１３  データ通信装置
２  通信回線
３  デジタルビデオカメラ
５ａ，５ｂ，５ｃ，５ｄ  分割画面
７  トランクケース
２１  フレームデータ取り込み部
２２  フレームデータ分離部
２３  フレーム画像データ間引き部
２４  データ出力部
２５  フレームデータ受信部
２６  フレーム画像データ複写部
２７  複写後フレームデータ分離部
２８  音声データ配列部
２９  画像データ配列部
３０  選択操作部
３１  表示切り替え部
３２  間引き頻度可変設定部
３３  音声出力部
３４  画像表示部
３５  間引き頻度表示部
【図１】
2006128801.tif 000003
【図２】
2006128801.tif 000004
【図３】
2006128801.tif 000005
【図４】
2006128801.tif 000006
【図５】
2006128801.tif 000007
【図６】
2006128801.tif 000008
【図７】
2006128801.tif 000009